(57)【要約】【課題】  サイレント楽器の演奏者の演奏を選択的に聴取し、かつ必要に応じて演奏内容を評価することが可能な装置を提案する。【解決手段】  演奏者側装置Ａ、聴取者側装置Ｂ及び両装置Ａ、Ｂを接続する通信装置（親機３Ａ、子機３Ｂ）とから成り、聴取者向け表示部４Ａに対して演奏曲目、演奏時刻等が表示され、この表示に対応して聴取者は演奏を聴取したいときは子機３Ｂの聴取ボタンをＯＮにしてヘッドフォン等の聴取者用聴取装置３Ｃにより演奏を聴取する。聴取者は演奏終了後、前記子機３Ｂの評価ボタンを操作して、この演奏内容の評価を行い、評価結果は演奏者向け表示部４Ｂに表示され、演奏者は自己の演奏内容の評価を確認することができる。【選択図】    図１
0003167568.tif 000002
【実用新案登録請求の範囲】
【請求項１】
サイレント楽器を演奏する演奏者と、サイレント楽器により演奏される楽曲を聴取する聴取者との間で構成される装置であって、演奏者側の意思及び／又は状況を表示する表示手段と、聴取者側の意思を表明する手段と、これらの手段における情報の伝達を行う通信手段とからなるサイレント楽器の演奏・聴取補助装置。
【請求項２】
前記通信手段を構成する通信装置は親機と１以上の子機からなり、親機は演奏者の操作用に配置され、子機は聴取者側に配置され、かつ子機には聴取者の意思を発信する手段が設けられていることを特徴とする請求項１記載のサイレント楽器の演奏・聴取補助装置。
【請求項３】
前記演奏者の意思及び／又は状況を表示する手段は、少なくとも「演奏内容を聴取者に聴取して欲しい」という意思のデータを発信する手段と、「演奏内容を聴取者に聴取して欲しくない」という意思のデータを発信する手段とを有することを特徴とする請求項１又は２記載のサイレント楽器の演奏・聴取補助装置。
【請求項４】
前記聴取者の意思を発信する手段は、少なくとも「演奏楽曲を受信する」という意思のデータを発信する手段と、「演奏楽曲を受信しない」という意思のデータを発信する手段とを有することを特徴とする請求項２記載のサイレント楽器の演奏・聴取補助装置。
【請求項５】
前記演奏者用の親機は演奏者向けの表示装置を有し、当該表示装置には前記聴取者の発信する意思情報のうち、少なくとも１以上の聴取者の発信する「演奏曲目を受信する」とするデータの情報と、演奏結果に対して少なくとも１以上の聴取者の「高評価」のデータの情報とを表示することを特徴とする請求項１乃至４の何れかに記載のサイレント楽器の演奏・聴取補助装置。
【請求項６】
演奏者と聴取者は連続する空間に位置し、聴取者に向かって聴取者向け表示部が配置され、演奏者に向かって演奏者向け表示部が配置されていることを特徴とする請求項１乃至５の何れかに記載のサイレント楽器の演奏・聴取補助装置。
【請求項７】
聴取者向け表示部と演奏者向け表示部が一体的に構成されていることを特徴とする請求項１乃至６の何れかに記載のサイレント楽器の演奏・聴取補助装置。
【請求項８】
演奏者と、聴取者は異なる空間に位置するよう構成され、子機には聴取者用表示装置が接続していることを特徴とする請求項１乃至５の何れかに記載のサイレント楽器の演奏・聴取補助装置。
【考案の詳細な説明】
【技術分野】
【０００１】
本考案は演奏データを電気信号として出力可能な演奏装置と、この演奏装置から出力された電気信号を受信する１以上の受信装置たる聴取側の装置から構成されたサイレント演奏・聴取装置に関し、特に演奏を聴取した者が演奏内容について評価することが可能なサイレント演奏・聴取についての補助装置に関する。
【背景技術】
【０００２】
昨今の住宅事情などにより、演奏内容を電気信号に変換し、この電気信号をイヤフォンやスピーカーで音声として出力することが可能な、電子楽器と通称される楽器が幅広く利用されている。この様に演奏内容を必要に応じて外部に対しては全く無音とすることができる楽器はサイレント楽器とも称されており、このサイレント楽器の利用方法、利用形態等についても下記特許文献のようにいろいろ提案されている。
【特許文献１】特開２００４−８８６０８
【特許文献２】特開２００８−５２１０４
【考案の開示】
【考案が解決しようとする課題】
【０００３】
このうち特許文献１記載の発明は複数の演奏者がそれぞれのサイレント楽器により全体としてアンサンブル演奏を実施することを目的とするミキシング装置に関するものであり、かつ特許文献２の発明はサイレント楽器における録音機能に関する発明である。
上記各特許文献はサイレント楽器の電子的機能を有効利用する手段としてそれぞれ効果的であるが、複数の聴取者に対して演奏を行う場合にはその機能が十分生かされているとは言えない。
【０００４】
即ち、通常のピアノ、ギター等をホール等の特定の空間で演奏する場合には当然のことながら演奏音は空間全体に響き、ホール内の視聴者は好むと好まざるとに関わらずこの演奏音を聴取することになる。演奏会のようにその演奏を聴取することが目的の集まりであれば、別段問題はないが、例えばサロンのバックミュージックとして演奏される場合などではサロンに居る者全てが演奏の聴取を希望するとは限らない。
この様な環境における演奏においてサイレント楽器の機能はその要望を十分にかなえる可能性を有している。
【０００５】
例えば、二人以上の演奏者（以下演奏者が子供である場合を例に説明する）がそれぞれサイレント楽器を演奏している場合、子供の親や指導者はそれぞれの子供が正規に演奏中なのか練習中なのかをその外見から判断することはできない。従って子供が「今から正式に演奏するから聴いて欲しい」と思う場合と、「まだ練習中だから聴かないで欲しい」と思う場合において、この子供の意思を聴取者に対して表明する必要が生じるが、現時点においてサイレント状態でこの様な演奏者の意思を聴取者に伝達できる機能を有するサイレント楽器は存在しない。
【０００６】
大部分のサイレント楽器は演奏者自身の聴取用機能を有するだけであって、複数の聴取装置を接続できるものであっても、接続数に応じた複数の者の聴取を可能にするだけである。このため、前記子供を含めて、演奏者が演奏内容を聴いてもらいたい場合では、例えば手まね等の動作で自分の意思を表示せざるを得ず、この結果演奏者にとっては実際には何人が聴いてくれるかは判らないことになる。例えば「一人も聴いてくれないかもしれない」と考えると、演奏者としては演奏に張合いが無くなり演奏に身が入らなくなるであろう。また逆に「何人かが演奏をきいてくれ、しかも演奏を気に入った」という情報が演奏者に入れば演奏者としての喜びは大きく、演奏に対して大きな励みとなるであろう。
【０００７】
更には、例えばホテルのロビーや病院の待合室等、不特定な人が集まる場所でかつ環境としては原則的に静謐である場所においては、演奏は基本的にはサイレント状態としておくことか望ましいが、このような場合、演奏者と聴取者との間で何らかの意思の疎通があることは両者にとってメリットのあることであると言える。
【０００８】
上記の前提に立った場合、サイレント楽器には次のような機能を有する関連装置の設置が望まれる。
（Ａ）演奏者の意思表示として少なくとも「演奏を聴いて欲しい」、「演奏を聴かないで欲しい（前述の練習中等）」の二通りの意思を聴取者に対して伝達できる機能。もとより「間もなく演奏を開始します」、「いかがでしたか。評価をお願いします」等、より具体的な意思を表示できれば一層良い。
（Ｂ）聴取者の意思で演奏信号の伝達／非伝達の切り替えが行える機能。
（Ｃ）聴取者のうち少なくとも一人が聴取する意思を有する場合、この意思を演奏者に伝達する機能（聴取者の人数が表示されればより良い）。
（Ｄ）演奏を聴取した聴取者のうち演奏に対して高評価をした場合、この評価を演奏者に対して伝達する機能（この数が多ければ演奏者にとってはより励みになる）。
【課題を解決するための手段】
【０００９】
本考案は上記サイレント楽器に要望される事項を実現することにより上記サイレント楽器の機能をより有効に発揮する為に構成されたサイレント楽器の演奏・聴取の補助装置装置であることを特徴とする。
【００１０】
即ち本考案は一つ若しくは複数のサイレント楽器に接続し、当該サイレント楽器の演奏状況や演奏内容を電気的に出力するためのリアルタイム操作機能を有する通信装置（親機）と、この通信装置を介してサイレント楽器の演奏内容を受信しかつ、所定のデータの発信も可能な通信装置（子機）である１以上の装置とからなり、子機にはサイレント楽器の演奏を受信しかつ必要に応じて所定のデータを通信装置に出力可能な通信手段と、サイレント楽器演奏の電気信号受信のＯＮ、ＯＦＦを設定できるスイッチ等から成る切り替え手段とが設けられていることを特徴とするサイレント楽器の演奏・聴取補助装置である。
【考案の効果】
【００１１】
サロン等の特定の空間に居る各聴取者は受信装置である子機の切り替え手段を適宜操作することにより、サイレント楽器の演奏内容をそれぞれ適宜取捨選択してイヤフォン等で他者に迷惑とならないように演奏内容を聴取することができる機能に加えて、表示装置を設置することより、現在演奏中の曲名や演奏目録を表示することによって聴取者は聞きたい曲の演奏を選択して、現行の装置で聴取することが可能となる。
【００１２】
上記機能に加えて、本考案装置は聴取者向けの表示手段と演奏者向けの表示手段を設けることにより、聴取者に対しては演奏曲目等の演奏内容を表示するとともに、少なくとも「今から聴いて欲しい」または「聴かないで欲しい」の二通りの意思表示用のリアルタイム操作が可能で、かつ演奏者向けの表示手段には演奏前及び演奏中においては演奏する曲目または演奏している曲目を聴取する聴取者または当該曲目を聴取している聴取者の人数が、また演奏後には演奏に対する聴取者の評価等を表示することが可能となる。
【実施例１】
【００１３】
以下本考案の第１の実施例を図１を参考に具体的に説明する。
サイレント楽器の演奏・聴取補助装置（以下特別の断りがない限り単に「装置」とする）は演奏者側に設置される演奏者側装置Ａと、聴取者側に配置される聴取者側装置Ｂとからなる。また聴取者側装置Ｂの設置基数は一台でも可能であるが、聴取者は通常複数存在するため聴取者用装置Ｂも複数配置されるのが一般的である。また本装置の特徴として、演奏側のサイレント楽器を複数設置することも可能である。更に本装置は演奏者側装置Ａ及び聴取者側装置Ｂと、これら装置Ａ、Ｂを接続する通信手段とから構成されており、かつ装置Ａ、Ｂは上記のとおり複数設置が可能である。
【００１４】
先ず演奏者側装置Ａの構成について説明する。
符号１は電子ピアノ等、演奏内容を電気的に出力することが可能であるサイレント楽器であり、符号２はこのサイレント楽器１に接続するイヤフォン等の演奏者用聴取装置であって、サイレント楽器１が音声出力をせず、サイレント演奏状態である場合に自己の演奏状態を音声的に聴取・確認する装置である。
【００１５】
３Ａは通信装置であって、演奏内容を電気的に出力しかつ後述する表示部に対する映像を制御する装置である（以下「親機」とする）。また符号３Ａｂは親機３Ａに設けられた演奏者用操作部である。
４Ａは聴取者に対して演奏曲目、演奏開始時間、演奏時間等の演奏に関する事項を表示伝達するための聴取者向け表示部であって、例えば液晶画面等により構成されている。
４Ｂは演奏者向けの表示部であって図示の構成では演奏者側に向けて聴取者用表示部４Ａの裏面に対して背中合わせに配置されることにより表示部全体がコンパクトに構成されている。然しこの構成は本考案の必須の要素ではなく、設置場所に余裕があれば演奏者向け表示部４Ｂと聴取者向け表示部４Ａとを個別に配置することはもとより可能であ。
【００１６】
一方符号３Ｂは聴取者側装置Ｂの一部を成す聴取者用通信装置（以下「子機」とする）であって、前記親機３Ａとケーブル、無線等の手段を介して通信連絡可能に接続構成されている。この子機３Ｂには前記演奏者用聴取装置２と同様のイヤフォン等からなる聴取者用聴取装置３Ｃが接続している。
【００１７】
また子機３Ｂに対しては聴取者が操作する操作部が形成されている。この操作部の構成の一例を図２を用いて説明すると、符号３Ｄａは聴取ボタン、３Ｄｂは高評価ボタン、３Ｄｃは低評価ボタン、３Ｄｄはリセットボタンとなっている。
【００１８】
次に上記構成の装置の使用状態の一例を示す。なおこの例は演奏者の演奏内容を聴取者によって評価してもらう場合を示し、以下この例を具体的に説明する。
【００１９】
先ず演奏者側は切り換えスイッチ等演奏者側の操作機能により前記聴取者向け表示部４Ａに対して演奏者側の現状を表示する。より具体的には「準備中」、「練習中」、「演奏開始時刻」、「演奏中」、「演奏終了・評価受付中」等、演奏者の現状や要望等を表示する。この表示に対応して聴取者（通常、聴取者席５に腰掛けている）は自己の意思により行動する事が可能となる。例えば「準備中」、「練習中」等の表示の場合には聴取者の多くは聴取を望まないであろうから、このような場合には子機３Ｂの聴取ボタン３ＤａをＯＦＦとして聴取を行わない。また通信手段の回路（図示せず）において演奏者側でメインリレーをＯＦＦにする等の方法により前記聴取ボタン３ＤａをＯＮにしても聴取できないようにしておいてもよい。
【００２０】
一方例えば図２に示すように聴取者向け表示部４Ａに対して演奏曲目と演奏開始時刻が表示された場合には、聴取を希望する聴取者は所定の時刻に聴取ボタンをＯＮとして聴取者用聴取装置３Ｃにより演奏を聴取できるようにして、演奏曲目を聴取する。このようにすることにより聴取者の個々人が自己の意思に基づいて音楽の聴取したり或いは、逆に演奏の聴取を行わないことが自由に選択でき、この聴取者の状態を演奏者側で確認することができる。
【００２１】
更に、このような演奏の聴取の要否を自由に選択できる外、演奏内容の評価を行うことができる。例えば演奏に対して何人の聴取者が聴取ボタン３ＤａをＯＮとしたか、また聴取ボタン３ＤａをＯＮとしたのに途中で聴取ボタン３ＤａがＯＦＦとされた状態が発生したか、若しこの状態が発生したならば何人の聴取者が途中でＯＦＦとしたか等がチェックされ、演奏終了後このチェック結果が演奏者向け表示部４Ｂに表示される。
【００２２】
上記のデータの外に、各聴取者が高評価ボタン３Ｄｂ或いは低評価ボタン３Ｄｃの何れかをＯＮとし、各ボタンのＯＮの数をチェックすることによって、より積極的に聴取者の評価を受けることも可能となる。また、これらのデータをプリンタで印刷出力する等の方法によりり演奏者はこれらのデータを自己の演奏内容等をより高めるための資料として利用することが可能となる。
【実施例２】
【００２３】
図３は第２の実施例を示す。
前記実施例１が演奏者及び聴取者共に同じ空間に居る場合の構成を示しているが、この実施例２は演奏者と聴取者が壁Ｗを隔てる等して別の部屋等の異なる空間にそれぞれ居る場合の装置の構成を示している。因に実施例２の構成では演奏者、聴取者共に相手を全く見ることがないので、演奏者は聴取者の表情等にとらわれることなく純粋に音楽を演奏することが可能となり、また聴取者も同様の理由により純粋に演奏のみを鑑賞することが可能となり、演奏者の技能を評価する場合にはにはより正確な判断が可能となることが期待される。特に、聴取者が全て試験官であり、演奏の技能そのものを評価する技能試験を実施する場合にはこの実施例の構成が好適である。例えば、演奏者は全て番号で試験官に紹介され、それ以外の演奏者のデータを試験官に与えない状態で演奏曲を試験官が聴取して評価を行えば、情実の入る余地がなく非常に公正な評価が期待できる。
【００２４】
上記構成を実現するため、実施例２では実施例１の構成を一部変更している。即ち、図１及び図２においては聴取者向け表示部４Ａと演奏者向け表示部４Ｂは近接して配置されているが、この実施例では聴取者向け表示部４Ａは別室に配置された子機３Ｂの一部として構成されている。もとより子機３Ｂと切り離し聴取者向け表示部４Ａを配置することができるが、子機３Ｂを例えばノート型パソコンとした場合には聴取者向け表示部４Ａを敢えて切り離す技術的理由はない。なおこの構成とした結果、親機３Ａ側には演奏者向け表示部４Ｂおよび演奏者用操作部３Ａｂのみが配置されることになる。
【実施例３】
【００２５】
図４乃至図６は別の実施例を示す。上記各実施例においては単数の演奏者と複数の聴取者との間で形成される装置の構成を示しているが、この実施例では演奏者も複数の場合の構成を示している。
【００２６】
図４においてロビー等の空間に対して、符号Ａ１からＡ５で示すように複数（図示の構成では５台）の演奏者側装置Ａが配置されている。一方、聴取者側に対しては複数の客席用テーブル（以下単に「テーブル」とする）６が配置され、かつ各テーブル６に対しては、ロビー等の配置空間におけるテーブル６の配置位置に対応して複数（図示の場合は２乃至４脚）の椅子５が配置されており、各聴取者は適宜これらの椅子５に着席する。図５はこれらの演奏者側装置Ａの構成を示す。演奏者側装置Ａは前記実施例１または２の構成と同様のものであり、サイレント楽器１、聴取者向け表示部４Ａと演奏者向け表示部４Ｂとを有する表示部を有する構成となっている。
【００２７】
次に、主として図６（Ａ）において、テーブル６に対しては専用イヤフォン挿入口７が設けられ、各聴取者は自己のイヤフォン２をイヤフォンアタッチメント８を介してこのこの専用イヤフォン挿入口７に接続し、通信手段を介して楽曲の聴取、各種評価等を行えるように構成されている。
【００２８】
図６（Ｂ）は前記イヤフォンアタッチメント８の構成を具体的に示している。
即ち、図中符号８Ａは拍手ボタン、８Ｂは演奏者選択ボタンであり、図示の構成では演奏者側装置Ａの設置基数に合わせて５個のボタンが配置されている。但し、このボタンに代えてダイヤル式に構成し、ダイヤルを所定の位置に回すことによってより多数の演奏者側装置Ａを選択するよう構成することもとより可能である。続いて符号８Ｃはジッャク挿入口でありイヤフォン２のジャック２Ａを挿入することによりイヤフォン２がこのイヤフォンアタッチメント８に接続される。
【００２９】
次に上記構成の装置の使用例を説明する。
例えば演奏者側装置Ａ１（図４参照）において、演奏中の場合にはこの演奏者側装置Ａ１の聴取者向け表示部４Ａに対して例えば「演奏中です／１番ボタンをどうぞ」等の表示がされ、興味のある聴取者はこの表示に応じて自己のイヤフォンアタッチメント８の演奏者選定ボタン８Ｂの１番ボタンを押してこの演奏を聴取する。
【００３０】
次に演奏者側装置Ａ２において、間もなく演奏を開始する場合にはこの演奏者側装置Ａ２の聴取者向け表示部４Ａに対して例えば「間もなく演奏開始です／２番ボタンをどうぞ」等の表示がされ、興味のある聴取者はこの表示に応じて自己のイヤフォンアタッチメント８の演奏者選定ボタン８Ｂの２番ボタンを押してこの演奏の聴取に備える。
【００３１】
また演奏者側装置Ａ３とＡ５は演奏者が居ないとすると、この装置Ａ３とＡ５の聴取者向け表示部４Ａに対して例えば「現在演奏者は空席です」等の表示をし、現在聴取の選択対象ではないことを表示しておく。
【００３２】
演奏者側装置Ａ４においは演奏の準備中である場合には当該演奏者側装置Ａ４の聴取者向け表示部４Ａに対しては例えば「準備中です。次回演奏１４：００頃／ＰＯＰＳ系」等、演奏開始時刻、演奏曲のジャンル等を表示する。
【００３３】
以上の例において、演奏を行った演奏者側装置Ａ４において演奏終了と共にこの演奏者側装置Ａ４の聴取者向け表示部４Ａに対しては、「拍手受付中／拍手ボタンをどうぞ」等の表示を行い、演奏についての聴取者の意思表示を受け付ける。
【産業上の利用可能性】
【００３４】
本考案の構成を演奏者側装置と聴取者側装置及びこれら装置を接続する通信手段を接続する構成として示したが、親機は演奏者側の装置として構成する必要は必ずしも無く、親機に対応する装置を演奏者側と聴取者側の間に介在する中継装置（中央処理機構を有するもの）としたり、或いは通信手段を無線方式にしたり、更にはインターネット等広範囲の情報の授受が可能な通信手段とする等、各種の構成が可能である。
【図面の簡単な説明】
【００３５】
【図１】本考案に係るサイレント楽器の演奏・聴取補助装置の斜視図である。
【図２】図１に示すサイレント楽器の演奏・聴取装置の操作部の詳細を示す同装置の斜視図である。
【図３】本考案の第２の実施例を示すサイレント楽器の演奏・聴取補助装置の斜視図である。
【図４】本考案の第３の実施例を示すサイレント楽器の演奏・聴取補助装置の配置状態を示す平面図である。
【図５】図４における演奏者側装置の一例を示す装置の斜視図である。
【図６】（Ａ）は図４に示すテーブルの斜視図、（Ｂ）はイヤホンアタッチメントの斜視図である。
【符号の説明】
【００３６】
１  サイレント楽器
２  演奏者用聴取装置（イヤフォン等）
３Ａ  通信装置（親機）
３Ｂ  通信装置（子機）
３Ｃ  聴取者用聴取装置（イヤフォン等）
３Ｄａ  （聴取者用操作部の）聴取ボタン
３Ｄｂ  （聴取者用操作部の）高評価ボタン
３Ｄｃ  （聴取者用操作部の）低評価ボタン
３Ｄｄ  （聴取者用操作部の）リセットボダン
４Ａ  聴取者向け表示部
４Ｂ  演奏者向け表示部
５  聴取者用座席
６  （聴取者用の）テーブル
７  イヤフォン挿入口
８  イヤフォンアタッチメント
８Ａ  （イヤフォンアタッチメントの）拍手ボタン
８Ｂ  （イヤフォンアタッチメントの）演奏者選定ボタン
８Ｃ  （イヤフォンアタッチメントの）イヤフォンジャック挿入口
Ａ  演奏者側装置
Ｂ  聴取者側装置
Ｗ  壁
【図１】
0003167568.tif 000003
【図２】
0003167568.tif 000004
【図３】
0003167568.tif 000005
【図４】
0003167568.tif 000006
【図５】
0003167568.tif 000007
【図６】
0003167568.tif 000008